(57)【要約】【課題】制御値の設定について、１つの操作エレメントを用いて、小さな補正に対しては高感度かつ精確な設定を可能にし、大きな補正に対しては迅速かつ粗い設定を可能にする。さらに、こうした操作エレメントにより機能を制御できるオーディオ信号またはビデオ信号の処理装置を提供する。【解決手段】第１の数値は選択された割り当て特性曲線に相応に第２のコンバータ内で第２の数値へ変換され、操作エレメントには特定の割り当て特性曲線の選択を制御する制御量が供給される。また、この種の操作エレメントを備えたビデオ信号および／またはオーディオ信号の処理装置を構成する。【選択図】　　　図１
2004080758.tif 000002
【特許請求の範囲】
【請求項１】
アクチュエータの位置に相応する位置信号（Ｐ）が形成され、該信号が第１のコンバータ（１２）を介して第１の数値（Ｅ）に変換され、出力側へ第２の数値（Ａ）として供給される
アクチュエータおよびピックアップを有する操作エレメントにおいて、
第１の数値（Ｅ）は選択された割り当て特性曲線に相応に第２のコンバータ（１３）内で第２の数値（Ａ）へ変換され、
操作エレメントには特定の割り当て特性曲線の選択を制御する制御量（Ｋ）が供給される
ことを特徴とするアクチュエータおよびピックアップを有する操作エレメント。
【請求項２】
出力側へ供給される第２の数値（Ａ）の可能範囲は位置信号（Ｐ）の範囲を包含する、請求項１記載の操作エレメント。
【請求項３】
割り当て特性曲線のグラジエントはアクチュエータの中央位置を中心とした領域に設定される、請求項１記載の操作エレメント。
【請求項４】
割り当て特性曲線はアクチュエータの中央位置に対して対称である、請求項１記載の操作エレメント。
【請求項５】
位置信号（Ｐ）から出力側の第２の数値（Ａ）までの変換は、それぞれアクチュエータの中央位置を中心とした領域での微細な分解能と最小の位置信号および最大の位置信号で定められる領域での粗い分解能とに相応する、請求項１記載の操作エレメント。
【請求項６】
位置信号（Ｐ）から出力側の第２の数値（Ａ）までの変換は、それぞれ、アクチュエータの中央位置を中心とした領域での粗い分解能と最小の位置信号および最大の位置信号で定められる領域での微細な分解能とに相応する、請求項１記載の操作エレメント。
【請求項７】
制御量（Ｋ）による割り当て特性曲線の選択はアクチュエータの感度の選択に相応する、請求項１記載の操作エレメント。
【請求項８】
請求項１から６までのいずれか１項記載の操作エレメントを備えていることを特徴とするビデオ信号および／またはオーディオ信号の処理装置。
【請求項９】
信号処理としてカラー信号の補正を行う、請求項８記載の装置。
【請求項１０】
信号処理として画像輝度および／または画像コントラストの設定を行う、請求項８記載の装置。
【請求項１１】
信号処理として編集コントロールユニットでの位置選択を行う、請求項８記載の装置。
【請求項１２】
信号処理としてピッチの設定を行う、請求項８記載の装置。
【発明の詳細な説明】
【０００１】
【発明の属する技術分野】
本発明は、数値による制御量を用いて機能を制御する装置の操作エレメントに関する。本発明は特に、アクチュエータの位置に相応する位置信号が形成され、この信号が第１のコンバータを介して第１の数値に変換され、出力側で第２の数値として使用可能となるアクチュエータおよびピックアップを有する操作エレメントに関する。
【０００２】
【従来の技術】
オーディオ信号またはビデオ信号の処理など、種々の装置の機能を制御するために、特定の範囲の数値による制御量をやり取りして実際の装置の機能を実行する操作エレメントがしばしば利用される。こうした操作エレメントは一般にセンサに適応化されたアクチュエータを有している。ロータリエンコーダまたはリニアセンサがアクチュエータの駆動に使用される。センサの位置はピックアップによって検出され、これによりアクチュエータの位置に相応する位置信号が形成される。さらにコンバータがこの位置信号を数値の制御量へ変換する。
【０００３】
特に微細なステップの刻みを要求される処理では、例えば１６ビットの分解能を有するコンバータが使用される。これは値としては０〜６５５３５までの範囲に相応する。しばしば１つの操作エレメントでブースティング機能またはアテネーション機能が実行される。これは値の全範囲の中央値としてバーチャルな中央位置またはゼロ位置を設定することにより行われる。中央値以下の値は処理信号のアテネーションに用いられ、中央値より大きい値は処理信号のブースティングに用いられる。
【０００４】
アクチュエータの位置を線形変換する場合、処理されるオーディオ信号またはビデオ信号の小さな補正はアクチュエータの位置を小さく変更することに相応する。またオーディオ信号またはビデオ信号の大きな補正はアクチュエータの位置を大きく変更することに相応する。
【０００５】
たいていの場合、処理すべき信号には軽微な補正が要求されるだけである。このときには上述の０〜６５５３５までの値の範囲全体が利用されることはまれである。
【０００６】
設計に応じてではあるが、当該の線形変換は小さな補正の領域で操作が困難になるという欠点を有している。なぜならアクチュエータの運動がきわめて小さいものであっても相応に値の変化を引き起こしてしまうからである。大きな補正では、所望の大きな補正値を設定するためにオペレータが大きな運動を実行しなければならない。時には要求される大きな運動が充分に迅速に行われないこともある。
【０００７】
こうした問題は粗のレギュレータとこれに関連する微細なレギュレータとを組み合わせることにより解決されるはずである。ただしこのための手段はスペースまたはコストの点から実現が困難で、操作性にも問題がある。
【０００８】
【発明が解決しようとする課題】
本発明の課題は、制御値の設定について、１つの操作エレメントを用いて、小さな補正に対しては高感度かつ精確な設定を可能にし、大きな補正に対しては迅速かつ粗い設定を可能にすることである。本発明の課題はさらに、こうした操作エレメントにより機能を制御できるオーディオ信号またはビデオ信号の処理装置を提供することである。
【０００９】
【課題を解決するための手段】
この課題は、第１の数値は選択された割り当て特性曲線に相応に第２のコンバータ内で第２の数値へ変換され、操作エレメントには特定の割り当て特性曲線の選択を制御する制御量が供給される構成により解決される。
【００１０】
課題はまた、この操作エレメントを備えたビデオ信号および／またはオーディオ信号の処理装置を構成することにより解決される。
【００１１】
【発明の実施の形態】
本発明の操作エレメントは、制御値が形成され、この値が機能を実行する装置へ転送される前にコンバータへ供給されることを特徴としている。この変換は制御量によって選択された割り当て特性曲線（ａｓｓｉｇｎｍｅｎｔ　ｃｈａｒａｃｔｅｒｉｓｔｉｃ　ｃｕｒｖｅ）にしたがって行われる。
【００１２】
この場合、本発明は有利には、一般に、微細に分解すべき小さな補正の範囲は大きな補正の範囲よりも必要となる頻度が低いという事実を利用している。
【００１３】
本発明の操作エレメントでの変換はコンバータのリニア制御値の変換である。ここで、定義された中央値を中心とした領域では、複数の計数ステップによる入力制御値の変更があったときにのみ１計数ステップの出力制御値の変更が生じるように行われる。
【００１４】
コンバータの制御値の範囲を大きくとる場合にはそれほど微細な刻みは必要ない。つまり１６ｂｉｔコンバータに対する０付近または６５５３５付近の領域ではそれほどの刻みを行わなくてよい。これらの領域では、コンバータは１計数ステップによる入力制御値の変更が複数のステップでの出力制御値の変更を生じさせるように変換を行う。これにより入力制御値の全範囲が出力制御値の範囲として使用されることが保証される。
【００１５】
割り当て特性曲線の特性は制御量によって設定される。中央値に対する対称性は制御量の選択値に関係なく保持される。これによりアテネーションの際にもブースティングの際にも中央値に対して同じ分解能が得られることが保証される。さらに特性曲線を制御量によって設定することにより、操作エレメントの特性をオペレータの所望に合わせて個別に適応化することができる。
【００１６】
制御量は割り当て特性曲線のグラジエントを中央値を中心とした領域に設定するために用いられる。このため操作エレメントの応答感度はこの領域において選択可能となる。
【００１７】
前述の操作エレメントの特性のいわば反転状態も選択された割り当て特性曲線によって達成することができる。つまり、値の全範囲のうち、極値付近の領域に微細な分解能を設定し、中央値付近の領域に粗い分解能を設定する。その結果、ユーザは有利には極値付近の領域で微細な設定を行うことができる。中央値付近の値はセンサの小さな運動により迅速にトラバースされる。
【００１８】
有利な実施形態では、特性曲線は
中央値以下では
Ａ＝（１−（１−Ｅ／Ｍ）Ｋ）＊Ｍ　　　　　　　　　　　　　　　　（１）
となり、中央値より上では
Ａ＝（１＋（１−Ｅ／Ｍ）Ｋ）＊Ｍ　　　　　　　　　　　　　　　　（２）
となる。式（１）および式（２）において、Ａは出力制御値であり、Ｅは入力制御値であり、Ｍは中央値であり、Ｋは可変の制御量である。
【００１９】
ただし、こうした式の計算に代えて他の数学的関係を使用することもできる。ここでは解析的には記述不能であるかまたはきわめて複雑な記述となる割り当て表またはルックアップテーブルなどの特性曲線を用いることもできる。さらにユーザの要求に応じて、特性曲線を非対称に設計することもできる。
【００２０】
本発明の操作エレメントを含む前述の装置はビデオ信号のイリーガルカラーの補正に用いることができる。イリーガルカラーの補正装置はカラービデオ信号が１つの信号表現から別の信号表現へ変換される（例えばＲＧＢ信号からクロミナンス・ルミナンス信号への変換が行われる）ところではどこでも用いられる。所定の信号成分を新たな信号表現へ変換するあいだに所定の信号範囲を外れるレベルの信号が発生すると、色相の崩壊にいたるおそれがある。このようなカラー信号をイリーガルカラーと称する。こうした崩壊を補正するために、信号レベルはイリーガルカラーの補正装置を用いて処理される。こうした装置は前述の操作エレメントを含み、これによりオペレータは装置に補正の制御値を与えて実際の補正機能を周知の手段で実行することができる。一般には信号レベルのブースティングおよびアテネーションを含む軽微な補正が必要なだけである。従来の形態の操作エレメントは予め定義された中央値を中心とした領域内でしか使用できない。また極値付近の値はほとんど使用できなかった。また従来のリニア操作エレメントでは、アクチュエータの運動がきわめて小さい範囲にあるときに応答感度が大きくなり、出力制御値の変更を生じることがあった。本発明のイリーガルカラーの補正装置によれば、要求される小さな補正も特に微細な分解能で実行することができる。
【００２１】
本発明についての更なるアプリケーションおよびコンフィグレーションも当技術分野の専門知識を有する者にとっては可能である。特に本発明の操作エレメントはイリーガルカラーの色補正装置に限定されるものではなく、例えばコントラスト調整や輝度調整などのビデオ信号の後処理、またはピッチ変更などのオーディオ信号の処理にも使用することができる。また本発明の操作エレメントはオペレータによって設定される他の装置にも任意に適用可能である。
【００２２】
【実施例】
本発明を図示の実施例に則して詳細に説明する。
【００２３】
図１には信号処理装置が概略的なブロック図で示されている。本発明の操作エレメント１０はこの装置内に設けられている。操作エレメント１０内ではリニアセンサ１１が図示されていないアクチュエータの位置に相応する位置信号Ｐを形成する。この位置信号Ｐは第１のコンバータ１２へ供給される。第１のコンバータ１２は位置信号を第１の数値すなわち入力制御値Ｅへ変換し、これを第２のコンバータ１３へ供給する。第２のコンバータ１３では第１の数値Ｅが割り当て特性曲線Ａ（Ｅ，Ｋ）に相応に第２の数値すなわち出力制御値Ａへ変換される。ここで制御量Ｋが第２のコンバータ３へ割り当て特性曲線Ａ（Ｅ，Ｋ）の選択のために供給されている。こうして第２の数値すなわち出力制御値Ａが操作エレメントの出力側に生じ、信号処理ブロック１４へ供給される。信号処理ブロック１４は特定の関数に相応に入力信号Ｓｉｎを処理し、出力信号Ｓｏｕｔ（Ａ，Ｓｉｎ）のかたちで出力する。
【００２４】
図２には本発明の操作エレメント１０の割り当て特性曲線のプロフィルが示されている。この割り当て特性曲線により、第１のコンバータ１２が１６ビットの分解能を有する場合には、種々の制御量Ｋに対して値０〜６５５３５に相応する値の範囲が設定される。ここでセンサはより高い、またはより低い他の値の範囲を設定できることに留意されたい。
【００２５】
この値の範囲について、算術平均値Ｍは３２７６８（２１６：２＝２１５＝３２７６８）である。割り当て特性曲線を形成する式（３）および式（４）は前述の式（１）および式（２）に相応に次のようになる。すなわち、第１の数値Ｅについて、領域０〜３２７６８では
Ａ＝（１−（１−Ｅ／３２７６８）Ｋ）＊３２７６８　　　　　　　　　（３）
領域３２７６９〜６５５３５では
Ａ＝（１＋（１−Ｅ／３２７６８）Ｋ）＊３２７６８　　　　　　　　　（４）
となる。
【００２６】
曲線１は入力値と出力値が値Ｋ＝１に対して線形の関係を有する場合を示している。曲線２〜５は値Ｋ＝１．２５〜２．０を０．２５刻みにしたときの割り当て特性曲線を示している。入力値の全範囲が出力値として使用できることが明らかである。
【００２７】
図３には算術平均値３２７６８を中心とした領域での図１の曲線の詳細が示されている。ここでは線形の特性曲線１が入力値に小さな変化のあった場合に出力値に相応の変化をもたらすことが明らかである。曲線２〜５は値Ｋ＝１．２５〜２．０を０．２５刻みにしたときの曲線であり、中央点付近で相対的に感度が落ちていることがわかる。ここではオペレータが別個に感度を設定する。
【図面の簡単な説明】
【図１】本発明の操作エレメントを備えた信号処理装置の概略的なブロック図である。
【図２】種々の制御量に対する制御値を求めるための入力から出力までの変換の特性曲線の例を示す図である。
【図３】算術平均値を中心とした領域における図１の変換の特性曲線を示す図である。
【符号の説明】
１０　操作エレメント
１１　リニアセンサ
１２　第１のコンバータ
１３　第２のコンバータ
１４　信号処理ブロック
【図１】
2004080758.tif 000003
【図２】
2004080758.tif 000004
【図３】
2004080758.tif 000005